(57)【要約】【課題】衝撃安全性を向上させるシステム及び該システムを製造し使用する方法の提供。【解決手段】システムは、易破断性領域（１２０）を有するパネル面（１１０）を備えるパネルを含む。パネルは、ガラスなどの透光性材料から形成することができる。易破断性領域は、通常時はパネルの残余部分（１２１）から区別できないが、所定量の力が易破断性領域に印加されるとパネルを安全かつ予測可能に破断させることができる。それにより、パネルは粉砕したり鋭利な破片を形成したりすることがなく、代わりに、易破断性領域は、内部破砕なしに無傷ユニットとしてパネルから分離される。その結果、人に危害を及ぼすリスクを最小限に抑えることができ、鋭利な破片が存在しないため、割れたパネルの清掃と交換が簡易化される。パネルは、乗用車や家庭や職場などの固定環境に配置される、ビデオモニタや消火器キャビネットなどの緊急機器に有効に適用することができる。【選択図】図１
2014035544.tif 000002
【特許請求の範囲】
【請求項１】
ディスプレイを有するモニタが配置されるハウジングに装着するためのモニタカバーであって、
二またはそれ以上の点において前記ハウジングに装着可能な半透過性パネルであって、前記ディスプレイは、前記半透過性パネルを通して可視である、前記半透過性パネルと、
前記半透過性パネルに設けられた易破断性領域であって、前記半透過性パネルは、前記半透過性パネルが前記ハウジングに装着された際に前記ディスプレイとは離れた方を向く外面を含む、前記易破断性領域と、
前記外面に配置されたフィルムと
を備えるモニタカバー。
【請求項２】
前記易破断性領域は、前記半透過性パネルに形成された切り欠きによって画定されている、請求項１に記載のモニタカバー。
【請求項３】
前記半透過性パネルは、周囲領域を含み、前記切り欠きは、連続的であり、前記周囲領域に隣接して配置されている、請求項２に記載のモニタカバー。
【請求項４】
前記易破断性領域は、複数の切り欠きによって画定され、該複数の切り欠きの各々は、前記半透過性パネルに形成されている、請求項２に記載のモニタカバー。
【請求項５】
前記切り欠きは、三角形、矩形、および半円から成る群から選択された断面形状を有する、請求項２に記載のモニタカバー。
【請求項６】
前記切り欠きは、奥行きおよび幅のうち少なくとも一つにおいて変動する、請求項２に記載のモニタカバー。
【請求項７】
前記パネルは、強化ガラスおよびポリカーボネートから成る群から選択された材料から形成されている、請求項１に記載のモニタカバー。
【請求項８】
ディスプレイを有するモニタが配置されるハウジングに装着するためのモニタカバーを製造する方法であって、
二またはそれ以上の点において前記ハウジングに装着可能な半透過性パネルを形成することであって、前記ディスプレイは、前記半透過性パネルを通して可視である、前記形成すること、
前記半透過性パネルに易破断性領域を設けることであって、前記半透過性パネルは、前記半透過性パネルが前記ハウジングに装着された際に前記ディスプレイとは離れた方を向く外面を含む、前記設けること、
前記外面にフィルムを配置すること
を含む方法。
【請求項９】
前記半透過性パネルを強化することをさらに含む、請求項８に記載の方法。
【請求項１０】
前記半透過性パネルを形成することは、ガラス材料を用いて前記半透過性パネルを形成することを含む、請求項８に記載の方法。
【請求項１１】
前記易破断性領域を設けることは、前記半透過性パネルの外周に隣接して前記パネルに切り欠きを入れることを含む、請求項８に記載の方法。
【請求項１２】
前記切り欠きを入れることは、三角形、矩形、および半円から成る群から選択された断面形状を有する切り欠きを前記半透過性パネルに形成することを含む、請求項１１に記載の方法。
【請求項１３】
前記切り欠きを入れることは、奥行きおよび幅のうち少なくとも一つを変動させて切り欠きを形成することを含む、請求項１１に記載の方法。
【請求項１４】
前記易破断性領域を設けることは、前記半透過性パネルに、局所的に限定された応力勾配を形成することを含む、請求項８に記載の方法。
【請求項１５】
前記半透過性パネルは、外周を含み、前記易破断性領域を設けることは、前記半透過性パネルの外周に隣接して前記半透過性パネルに切り欠きを入れることを含み、前記切り欠きを入れることは連続的である、請求項８に記載の方法。
【発明の詳細な説明】
【技術分野】
【０００１】
開示される実施形態は概して衝撃安全性に関し、特に、限定はしないが、衝撃を受けた後、透光性材料を予測可能に落下させることのできる、一またはそれ以上の易破断性（ｆｒａｎｇｉｂｌｅ）領域を備えた半透過性パネルに関する。
【背景技術】
【０００２】
自動車や航空機などの車両は、窓ガラスを含む客室内の領域を含むことが多い。窓ガラスはたとえば、車両のフロントガラスや窓に連携させることができる。
乗客娯楽システムを装備している場合、車両は、移動中の乗客に情報を表示したり、その他の娯楽を提供したりするためのビデオモニタを含むことが多い。様々な理由から、モニタはガラス製のフロントカバーを含むことが望ましい。しかしながら、ガラスは、当たった際に、粉砕して危険な破片に分解する可能性がある。車両が移動中に急に減速や方向転換をしたり、あるいは緊急事態が発生したりする場合、ガラスが乗客の頭やその他の部分にぶつかる可能性がある。乗客のけがの可能性に加えて、割れたガラスは清掃員が除去するのに困難で危険でもある。
【０００３】
従来のビデオモニタは通常、ガラス製のフロントカバーを有する。これらのフロントカバーは、連邦航空局が定義した頭部傷害基準の安全設計検査中、安全かつ予測可能には落下しない。すなわち、ガラスの破片またはガラスカバー全体が、このような試験中に客室に落下する。ビデオモニタとガラス製のフロントカバーの一体化が望ましいことを認識し、航空会社もその供給業者も、安全かつ予測可能に落下するガラス製フロントカバーの設計を長年試行してきたが失敗に終わっている。
【発明の概要】
【発明が解決しようとする課題】
【０００４】
上記の点に鑑み、透光性材料と、輸送やその他の動作環境における衝撃安全性を促進するアセンブリとを提供するシステムおよび方法が必要とされている。
【課題を解決するための手段】
【０００５】
本開示の第一の態様によれば、ディスプレイを有するモニタが配置されるハウジングに装着するためのモニタカバーが提供され、該モニタカバーは、二またはそれ以上の点において前記ハウジングに装着可能な半透過性パネルであって、前記ディスプレイは、前記半透過性パネルを通して可視である、前記半透過性パネルと、前記半透過性パネルに設けられた易破断性領域であって、前記半透過性パネルは、前記半透過性パネルが前記ハウジングに装着された際に前記ディスプレイとは離れた方を向く外面を含む、前記易破断性領域と、前記外面に配置されたフィルムとを備える。
【０００６】
本開示の第二の態様によれば、ディスプレイを有するモニタが配置されるハウジングに装着するためのモニタカバーを製造する方法が提供され、該方法は、二またはそれ以上の点において前記ハウジングに装着可能な半透過性パネルを形成することであって、前記ディスプレイは、前記半透過性パネルを通して可視である、前記形成すること、前記半透過性パネルに易破断性領域を設けることであって、前記半透過性パネルは、前記半透過性パネルが前記ハウジングに装着された際に前記ディスプレイとは離れた方を向く外面を含む、前記設けること、前記外面にフィルムを配置することを含む。
【図面の簡単な説明】
【０００７】
【図１】衝撃安全性を向上させるパネルの実施形態を示す例示の上面図である。
【図２Ａ】図１のパネルの実施形態を示す例示の詳細図であり、パネルは易破断性領域と境界によって分離される残余部分とを有するパネル面を備える。
【図２Ｂ】図２Ａのパネルの実施形態を示す例示の詳細図であり、力がパネルに印加されて、境界が分解して、易破断性領域が残余部分から分離している。
【図２Ｃ】図２Ａのパネルの実施形態を示す例示の詳細図であり、易破断性領域が残余部分から切り離される。
【図３Ａ】図１のパネルの別の実施形態を示す例示の詳細図であり、パネルは易破断性領域とゼロ以外の幅を有する境界によって分離される残余部分とを有するパネル面を備える。
【図３Ｂ】図３Ａのパネルの実施形態を示す例示の詳細図であり、力がパネルに印加されて、境界が分解して、易破断性領域が残余部分から分離している。
【図３Ｃ】図３Ａのパネルの実施形態を示す例示の詳細図であり、易破断性領域が残余部分から分離されて切り離される。
【図４Ａ】図１のパネルの別の実施形態を示す例示の詳細図であり、パネルは易破断性領域とゼロ以外の幅を有する境界によって分離される残余部分とを有するパネル面を備える。
【図４Ｂ】図４Ａのパネルの実施形態を示す例示の詳細図であり、力がパネルに印加されて、境界が分解して、易破断性領域が残余部分から分離している。
【図４Ｃ】図４Ａのパネルの実施形態を示す例示の詳細図であり、易破断性領域が残余部分から切り離され、破片が分散している。
【図５Ａ】図１のパネルの別の実施形態を示す例示の詳細図であり、パネルは易破断性領域とゼロ以外の幅を有する境界によって分離される残余部分とを有するパネル面に貼付されるフィルムを備える。
【図５Ｂ】図５Ａのパネルの実施形態を示す例示の詳細図であり、力がパネルに印加されて、境界が破片に分解して、易破断性領域が残余部分から分離している。
【図５Ｃ】図５Ａのパネルの実施形態を示す例示の詳細図であり、易破断性領域は残余部分から分離していて、フィルムは引き裂かれているが破片は制御されて分散している。
【図６】図１のパネルとハウジングとを含む易破断性パネルアセンブリの実施形態を示す例示の上面図であり、ハウジングの内面は部分的にチャンバを包囲している。
【図７Ａ】図１のパネルとハウジングとを含む易破断性パネルアセンブリの別の実施形態を示す例示の詳細図であり、ハウジングの内面は高さを延長してチャンバを部分的に包囲している。
【図７Ｂ】図７Ａの易破断性パネルアセンブリを示す例示の詳細図であり、パネルの易破断性領域はパネルの残余部分から分離されてチャンバ内に後退している。
【図８Ａ】図６の易破断性パネルアセンブリの別の実施形態を示す例示の詳細分解図であり、ハウジングは第一ハウジング部材と第二ハウジング部材とを備える。
【図８Ｂ】図８Ａの易破断性パネルアセンブリの例示の詳細図であり、第一ハウジング部材と第二ハウジング部材とは共に接続されている。
【図９Ａ】図１のパネルを含む易破断性パネルアセンブリの実施形態の一部を示す例示の詳細分解図である。
【図９Ｂ】図９Ａの易破断性パネルアセンブリを示す例示の詳細図であり、パネルのパネル面はハウジングのフェース壁の内面に接続されている。
【図９Ｃ】図９Ｂの易破断性パネルアセンブリを示す例示の詳細図であり、力がパネルに印加されて、境界が分解して、易破断性領域が残余部分から分離している。
【図９Ｄ】図９Ｂのパネルの実施形態を示す例示の詳細図であり、易破断性領域はチャンバ内に後退し、パネルの残余部分から脱離および分離している。
【図１０Ａ】代替形状を有する図１のパネルを含む易破断性パネルアセンブリの別の実施形態の一部を示す例示の詳細分解図である。
【図１０Ｂ】図１０Ａの易破断性パネルアセンブリを示す例示の詳細図であり、パネルのパネル面はハウジングのフェース壁の内面と開口部面とに接続され、パネルの端面はハウジングの選択壁と対向壁の内面に接続されている。
【図１１Ａ】代替の凸形状を有する図１のパネルを含む易破断性パネルアセンブリの別の実施形態の一部を示す例示の詳細分解図である。
【図１１Ｂ】図１１Ａの易破断性パネルアセンブリを示す例示の詳細図であり、パネルのパネル面はハウジングのフェース壁の内面と接続され、パネルの端面はハウジングの選択壁と対向壁の内面に接続されている。
【図１２Ａ】代替の凹形状を有する図１のパネルを含む易破断性パネルアセンブリの別の実施形態の一部を示す例示の詳細分解図である。
【図１２Ｂ】図１２Ａの易破断性パネルアセンブリを示す例示の詳細図であり、パネルのパネル面はハウジングのフェース壁の内面に接続され、パネルの端面はハウジングの選択壁と対向壁の内面に接続されている。
【図１３Ａ】図５Ａのパネルを含む易破断性パネルアセンブリの実施形態の一部を示す例示の詳細分解図である。
【図１３Ｂ】図１３Ａの易破断性パネルアセンブリを示す例示の詳細図であり、パネルの端面がハウジングのフェース壁の内面に接続されている。
【図１３Ｃ】図１３Ｂの易破断性パネルアセンブリを示す例示の詳細図であり、力がパネルに印加されて、境界が破片状に分解して、易破断性領域が残余部分から分離している。
【図１３Ｄ】図１３Ｂのパネルの実施形態を示す例示の詳細図であり、易破断性領域はチャンバ内に後退し、パネルの残余部分から脱離および分離しており、フィルムは引き裂かれているが、破片の散乱は制御されている。
【図１４Ａ】図１のパネルを含む易破断性パネルアセンブリの別の実施形態の一部を示す例示の詳細分解図であり、パネルは、パネル面がハウジングのフェース壁のフェース面と同一平面になるように搭載することができる。
【図１４Ｂ】図１４Ａの易破断性パネルアセンブリを示す例示の詳細図であり、パネルは、パネル面がハウジングのフェース壁のフェース面と同一平面になるようにハウジングの切り欠き領域に接続されている。
【図１４Ｃ】図１４Ｂの易破断性パネルアセンブリを示す例示の詳細図であり、ハウジング全体が示されている。
【図１５Ａ】フィルムを貼付した図１のパネルを含む易破断性パネルアセンブリの別の実施形態の一部を示す例示の詳細分解図であり、パネルは、フィルム面がハウジングのフェース壁のフェース面と同一平面になるように搭載されている。
【図１５Ｂ】図１５Ａの易破断性パネルアセンブリを示す例示の詳細図であり、パネルは、フィルム面がハウジングのフェース壁のフェース面と同一平面になるようにハウジングの切り欠き領域に接続されている。
【図１６Ａ】代替のＣ状断面を有する図１のパネルを含む易破断性パネルアセンブリの別の実施形態の一部を示す例示の詳細分解図である。
【図１６Ｂ】図１６Ａの易破断性パネルアセンブリを示す例示の詳細図であり、パネルのパネル領域の搭載面がハウジングのフェース壁のフェース面に接続されている。
【図１７Ａ】代替の境界位置を有するパネルを含む図１６Ａの易破断性パネルアセンブリの別の実施形態の一部を示す例示の詳細分解図である。
【図１７Ｂ】図１７Ａの易破断性パネルアセンブリを示す例示の詳細図であり、パネルのパネル領域の搭載面はハウジングのフェース壁のフェース面に接続されている。
【図１８Ａ】図１のパネルの実施形態を示す例示の詳細図であり、パネルは複数の易破断性領域を有するパネル面を備える。
【図１８Ｂ】図１のパネルの別の実施形態を示す例示の詳細図であり、パネルは、切り欠きによって画定されるおよび／または境界を示される易破断性領域を有するパネル面を備える。
【図１８Ｃ】図１のパネルの別の実施形態を示す例示の詳細図であり、パネルは、局所的に限定された応力勾配によって画定されるおよび／または境界を示される易破断性領域を有するパネル面を備える。
【図１９Ａ】図１８Ｂのパネルの実施形態を示す例示の詳細図であり、半円断面を有する切り欠きが形成されている。
【図１９Ｂ】図１８Ｂのパネルの別の実施形態を示す例示の詳細図であり、三角形断面を有する切り欠きが形成されている。
【図１９Ｃ】図１８Ｂのパネルの別の実施形態を示す別の例示の詳細図であり、矩形断面を有する切り欠きが形成されている。
【図２０】図１８Ｂのパネルの実施形態を示す例示の詳細図であり、パネルは湾曲面を有する。
【図２１Ａ】図１のパネルの別の実施形態を示す例示の詳細図であり、パネルは、パネルの対向側面に隣接して形成される一対の切り欠きによって画定されるおよび／または境界を示される易破断性領域を有するパネル面を備える。
【図２１Ｂ】図１のパネルの別の実施形態を示す別の例示の詳細図であり、パネルは、パネルの上部または下部に隣接して形成される一対の切り欠きによって画定されるおよび／または境界を示される易破断性領域を有するパネル面を備える。
【図２１Ｃ】図１のパネルの別の実施形態を示すさらに別の例示の詳細図であり、パネルは、パネルの外周に隣接して形成される単一の切り欠きによって画定されるおよび／または境界を示される易破断性領域を有するパネル面を備える。
【図２１Ｄ】図１のパネルの別の実施形態を示す例示の詳細図であり、パネルは、パネルの対向側面に隣接して形成される一対の切り欠きとパネルの上部と下部に隣接して形成される一対の切り欠きとによって画定されるおよび／または境界を示される易破断性領域を有するパネル面を備え、四つの切り欠きが複合切り欠きを形成する。
【図２１Ｅ】図１のパネルの別の実施形態を示す別の例示の詳細図であり、パネルは、パネルの周囲領域に隣接し中央領域内に形成される複数の切り欠きによって画定されるおよび／または境界を示される易破断性領域を有するパネル面を備える。
【図２１Ｆ】図２１Ｅのパネルの別の実施形態を示す例示の詳細図であり、七つの切り欠きが複合切り欠きを形成する。
【図２２Ａ】パネルを含むカバーアセンブリの実施形態を示す例示の詳細図である。
【図２２Ｂ】パネルおよびフィルムを含むカバーアセンブリの別の実施形態を示す例示の詳細分解図である。
【図２２Ｃ】組み立てられた図２２Ｂのカバーアセンブリを示す例示の詳細図である。
【図２２Ｄ】パネルおよびタッチセンサを含むカバーアセンブリの別の実施形態を示す例示の詳細分解図である。
【図２２Ｅ】組み立てられた図２２Ｄのカバーアセンブリを示す例示の詳細図である。
【図２２Ｆ】パネルおよびビューフィルタを含むカバーアセンブリの別の実施形態を示す例示の詳細分解図である。
【図２２Ｇ】組み立てられた図２２Ｆのカバーアセンブリを示す例示の詳細図である。
【図２２Ｈ】パネル、フィルム、およびタッチセンサを含むカバーアセンブリの別の実施形態を示す例示の詳細分解図である。
【図２２Ｉ】組み立てられた図２２Ｈのカバーアセンブリを示す例示の詳細図である。
【図２２Ｊ】パネル、フィルム、タッチセンサ、およびビューフィルタを含むカバーアセンブリの別の実施形態を示す例示の詳細分解図である。
【図２２Ｋ】組み立てられた図２２Ｊのカバーアセンブリを示す例示の詳細図である。
【図２２Ｌ】パネル、フィルム、タッチセンサ、およびビューフィルタを含むカバーアセンブリの別の実施形態を示す例示の詳細分解図である。
【図２２Ｍ】組み立てられた図２２Ｌのカバーアセンブリを示す例示の詳細図である。
【図２３Ａ】ビデオディスプレイとカバーアセンブリとを含むビデオモニタアセンブリの実施形態を示す例示の詳細図である。
【図２３Ｂ】ビデオディスプレイとカバーアセンブリとを含むビデオモニタアセンブリの別の実施形態を示す例示の詳細図であり、カバーアセンブリは、フィルム面が第一ハウジング部材のフェース面と同一平面になるように第一ハウジング部材に接続することができる。
【図２３Ｃ】ビデオディスプレイとカバーアセンブリとを含むビデオモニタアセンブリのさらに別の好適な実施形態を示す例示の詳細図であり、カバーアセンブリは、パネル側面がハウジングの外側面と同一平面になるようにハウジングに接続されている。
【図２４】ビデオモニタアセンブリを含むユーザシートアセンブリの例示の詳細図である。
【図２５】図１のパネルを製造する例示の方法を示すフローチャートであり、該方法はガラスシートを形成すること、パネルを強化することを含む。
【図２６Ａ】図２５の方法による例示のガラスシート形成方法を示すフローチャートである。
【図２６Ｂ】図２５の方法による例示のパネル強化方法を示すフローチャートである。
【図２７Ａ】パネルに局所的に限定された応力勾配を形成する例示の方法を示すフローチャートである。
【図２７Ｂ】パネルに局所的に限定された応力勾配を形成する別の例示の方法を示すフローチャートである。
【図２８Ａ】図２５の方法によりガラスシートから切断されたパネルを示す例示の詳細図である。
【図２８Ｂ】図２５の方法で切り欠いたパネルを示す例示の詳細図である。
【図２８Ｃ】図２６Ｂの方法により強化されたパネルを示す例示の詳細図である。
【図２８Ｄ】図２６Ｂの方法により強化されたパネルを示す例示の詳細図である。
【図２９】図２２Ａ〜Ｍに示されるカバーアセンブリを組み立てる例示の方法のフローチャートである。
【図３０Ａ】第一ハウジング部材と第二ハウジング部材とを有するビデオモニタアセンブリを組み立てる例示の方法を示すフローチャートである。
【図３０Ｂ】ハウジングを有するビデオモニタアセンブリを組み立てる例示の方法を示すフローチャートである。
【図３１Ａ】図１のパネルとハウジングとを含む消火器キャビネットアセンブリの実施形態を示す例示の詳細図であり、ハウジングの内面は消火器ハウジングに適したチャンバを部分的に包囲している。
【図３１Ｂ】図３１Ａの消火器キャビネットアセンブリを示す例示の詳細図であり、パネルの易破断性領域がパネルの残余部分から分離されており、チャンバ内に後退している。
【図３１Ｃ】図３１Ａの消火器キャビネットアセンブリを示す例示の詳細図であり、パネルの易破断性領域はパネルの残余部分から分離されて、チャンバから取り外されている。
【図３２Ａ】易破断性パネルアセンブリを組み込むドア、ハウジング、およびスイッチアセンブリを含む消火器キャビネットアセンブリの実施形態を示す例示の詳細図である。
【図３２Ｂ】ドアを閉鎖した、図３２Ａの消火器キャビネットアセンブリの正面を示す例示の詳細図である。
【図３２Ｃ】ドアを開放した、図３２Ａの消火器キャビネットアセンブリの正面を示す例示の詳細図である。
【図３３Ａ】易破断性パネルアセンブリとスイッチとを含む図３２Ａ〜Ｂに示すスイッチアセンブリの実施形態を示す例示の詳細図である。
【図３３Ｂ】図３３Ａのスイッチアセンブリを示す例示の詳細図であり、易破断性領域がパネルの残余部分から分離し、チャンバ内に後退している。
【図３３Ｃ】図３３Ａのスイッチアセンブリを示す例示の詳細図であり、スイッチのレバーが開口部を介してアクセス可能であり、レバーが押圧されている。
【図３４Ａ】易破断性パネルアセンブリを組み込む火災報知器カバーアセンブリの実施形態を示す例示の詳細図である。
【図３４Ｂ】図３４Ａの火災報知器カバーアセンブリを示す例示の詳細図であり、易破断性領域がパネルの残余部分から分離し、チャンバ内に後退することで火災報知器パネルにアクセスすることができる。
【発明を実施するための形態】
【０００８】
図面は等縮尺ではなく、図面全体を通して説明のため、類似の構造または機能の構成要素には通常、類似の参照符号を付す。また、図面は好適な実施形態の説明を簡易化することのみを目的とする。図面は記載の実施形態の全ての側面を示しておらず、本開示の範囲を限定しない。
【０００９】
現在入手可能なビデオモニタは、衝撃を受けたときに粉砕して危険な破片に分解する恐れのあるガラス製のフロントカバーを含むため、予測可能に割れる半透過性パネルが望ましいと実証されており、自動車や航空機などの車両に搭載して使用されるビデオモニタ用のフロントカバーや、スマートフォン、タブレット、およびテレビなどの携帯型または家庭／職場用装置など、幅広い用途の基盤を提供し得る。この結果は、本明細書に開示される一実施形態による、図１に示すようなパネル１００によって実現することができる。
【００１０】
図１を参照すると、易破断性（ｆｒａｎｇｉｂｌｅ）領域１２０を有するパネル面１１０を備えるパネル１００が示されている。易破断性領域１２０は好ましくは、通常時にはパネル面１１０の残余部分１２１と区別できないが、所定量の力が易破断性領域１２０に印加されると、パネル１００が安全かつ予測可能に割れるように構成されている。幾分別の言い方をすると、パネル１００は衝撃を受けたとき、粉砕しおよび／または鋭利な破片を形成して、近傍の人を傷つける恐れがない。その代わりに、易破断性領域１２０は好ましくは内部破砕のない無傷ユニットとしてパネル１００の残余部分１２１から分離することができる。それにより、人に危害を及ぼすリスクを最小限に抑えることができる。都合のよいことに、鋭利な破片が存在しないことも、割れたパネル１００の清掃および／または交換を容易にすることができる。
【００１１】
易破断性領域１２０は、パネル１００自体と同様、任意の従来の材料で形成され、任意の適切なサイズ、厚さ、寸法および／または形状で提供されることができる。図１に示すように、たとえば、パネル１００は、円形の易破断性領域１２０を有する矩形のパネルとして形成することができる。例示目的でのみパネル面１１０の中央領域を備えるように図示しているが、易破断性領域１２０はパネル面１１０の任意の適切な領域に設けることができる。一実施形態では、パネル面１１０は複数の易破断性領域１２０を含み、それぞれが上記のように設けられることができる。
【００１２】
図２Ａは、易破断性領域１２０を残余部分１２１から分離する境界１２２を有するパネル１００の例示の断面側面図である。図２Ｂを参照すると、パネル１００の易破断性領域１２０のパネル面１１０への力（Ｆ）の印加後、境界１２２が分解して、易破断性領域１２０がパネル１００の残余部分１２１から分離している。図２Ｂに示すように力（Ｆ）の印加後、易破断性領域１２０は、図２Ｃに示すように、無傷であり、パネル１００の残余部分１２１から脱離している。
【００１３】
図３Ａは、ゼロ以外の幅を有する図３Ａの境界１２２が示されていることを除き、図２Ａと類似する。図３Ｂを参照すると、パネル１００の易破断性領域１２０のパネル面１１０への力（Ｆ）の印加後、境界１２２の領域が分解して、易破断性領域１２０がパネル１００の残余部分１２１から分離している。図３Ｂに示すように力（Ｆ）の印加後、易破断性領域１２０は、図３Ｃに示すように、無傷であり、パネル１００の残余部分１２１から脱離している。
【００１４】
図４Ａは図３Ａと同一である。しかしながら、図４Ｂを参照すると、パネル１００の易破断性領域１２０のパネル面１１０への力（Ｆ）の印加後、境界１２２の領域が破片１２３状に分解して、易破断性領域１２０がパネル１００の残余部分１２１から分離している。図４Ｂに示すように力（Ｆ）の印加後、易破断性領域１２０は、図４Ｃに示すように、無傷であり、パネル１００の残余部分１２１から脱離している。図４Ｃに示すように、破片１２３の散乱は制御されていない。
【００１５】
図５Ａは、フィルム２３０がパネル１００のパネル面１１０に貼付されることを除き、図４Ａと同一である。フィルム２３０は一またはそれ以上の層から成り、任意の従来の方法によってパネル面１１０に配置することができる。図５Ｂを参照すると、パネル１００の易破断性領域１２０のパネル面１１０への力（Ｆ）の印加後、境界１２２の領域は破片１２３状に分解して、易破断性領域１２０はパネル１００の残余部分１２１から分離し、フィルム領域２３１周囲のフィルム２３０を伸張させる。力（Ｆ）の印加後、図５Ｂに示すように易破断性領域１２０は無傷であり、図５Ｃに示すようにパネル１００の残余部分１２１から分離される。図５Ｃにさらに示すように、破片１２３の散乱は、それ自体引き裂かれフィルム端２３２を形成しているフィルム２３０によって制御されている。
【００１６】
図６を参照すると、パネル１００は、有効に易破断性パネルアセンブリ２００に組み込まれて、所定量の力がパネル１００の易破断性領域１２０に印加されたときに安全かつ予測可能に破断しやすくすることができる。易破断性パネルアセンブリ２００の実施形態は壁２１２を有するハウジング２１０を含む。パネル１００はハウジング２１０の内面２１１と接続される。ハウジング２１０の内面２１１は、部分的に包囲可能であるチャンバ２２１を形成（および／または画定）する。パネル１００は、接着剤、留め具、止め金、または印加力（たとえば、磁石、吸着カップ、または摩擦）などの任意の従来の方法によって、ハウジング２１０の内面２１１に接続することができる。「止め金」という文言は、パネル１００とハウジング２１０とを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。
【００１７】
易破断性パネルアセンブリ２００の別の実施形態を図７Ａに示す。図７Ａを参照すると、易破断性パネルアセンブリ２００は、壁２１２を有するハウジング２１０を含む。パネル１００は、上述したような任意の従来の方法によって、ハウジング２１０の内面２１１に接続される。図６のチャンバ２２１と比較して、ハウジング２１０の内面２１１は、部分的に包囲可能である、高さを延長したチャンバ２２１を形成する。図７Ｂを参照すると、十分な衝撃の印加後、パネル１００は予測可能に脱落して、易破断性領域１２０をパネル１００の残余部分１２１から分離させ、チャンバ２２１内へと後退させる。
【００１８】
衝撃を受けたときに粉砕しおよび／または鋭利な破片を形成して近傍の人を傷つける恐れのある従来技術の半透過性パネルと異なり、易破断性領域１２０は好ましくは内部破砕のない無傷ユニットとしてパネル１００から分離させることができる。実際には、透光性と衝撃安全性のいずれをも発揮するパネルは予想されておらず、特に航空業界でビデオモニタに関する長年の需要に応えるものである。
【００１９】
図８Ａを参照すると、易破断性パネルアセンブリ２００の別の実施形態は、易破断性領域１２０と壁２１２を有するハウジング２１０とを有するパネル１００を含む。ここで、ハウジング２１０は、第一ハウジング部材２１０Ａと第二ハウジング部材２１０Ｂを含むことができる。第一ハウジング部材２２１Ａは、開口部２１４を有し、部分的に包囲可能である第一チャンバ２２１Ａを形成（および／または画定）する第一内面２１１Ａを備えた壁２１２を有する。パネル１００は、上述したような任意の従来の方法によって第一ハウジング部材の第一内面２１１Ａに接続されて、開口部２１４を閉鎖する。第二ハウジング部材２１０Ｂは、第二内面２１１Ｂを備えた壁２１２を有する。第二ハウジング部材２１０Ｂの第二内面２１１Ｂは、部分的に包囲可能である第二チャンバ２２１Ｂを形成（および／または画定）する。図８Ａに示すように、第一ハウジング部材２１０Ａおよび第二ハウジング部材２１０Ｂは、接着剤、留め具、止め金、または印加力（たとえば、磁石、吸着カップ、または摩擦）などの任意の従来の方法によって接続することができる。「止め金」という文言は、第一ハウジング部材２１０Ａと第二ハウジング部材２１０Ｂとを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。図８Ｂを参照すると、第一ハウジング部材２１０Ａと第二ハウジング部材２１０Ｂは、第一内面２１１Ａと第二内面２１１Ｂとが整列して、第一チャンバ２２１Ａと第二チャンバ２２１Ｂとを結合させるチャンバ２２１を画定（および／または）形成する内面２１１を形成するように接続することができる。
【００２０】
図９Ａを参照すると、易破断性パネルアセンブリ２００の別の実施形態のハウジング２１０の一部は、明瞭化のためにパネル１００から分離して示されている。図９Ａに示すように、パネル１００は、パネル面１１０を有し、易破断性領域１２０を残余部分１２１から分離する境界１２２をさらに含む。ハウジング２１０は、壁２１２と、部分的に包囲可能であるチャンバ２２１を画定（および／または）形成する内面２１１とを有する。ハウジング２１０は、内面２１１を有する選択壁２１２Ａと内面２１１を有する対向壁２１２Ｂとをさらに含む。選択壁２１２Ａと対向壁２１２Ｂはいずれもそれぞれフェース壁２１２Ｃに接続される。フェース壁２１２Ｃはハウジング２１０に開口部２１４を形成する。図９Ａに示すように、ハウジング２１０は、パネル１００のパネル面１１０が上述の任意の従来の方法によってハウジング２１０のフェース壁２１２Ｃの内面２１１に接続されて、開口部２１４を閉鎖することができるように構成される。
【００２１】
図９Ｂを参照すると、パネル１００は、ハウジング２１０のフェース壁２１２Ｃの内面２１１に接続されることによって開口部２１４を閉鎖するように示されている。具体的には、パネル１００の残余部分１２１を覆うパネル面１１０の一部が、フェース壁２１２の内面２１１の一部に接続される。パネル１００の易破断性領域１２０のパネル面１１０に力（Ｆ）が印加された後、図９Ｃに示すように境界１２２が分解して、易破断性領域１２０がパネル１００の残余部分１２１から分離する。力（Ｆ）の印加後、図９Ｃに示すように、易破断性領域１２０がチャンバ２２１内に後退し図９Ｄに示すように、無傷のままでパネル１００の残余部分１２１から脱離する。よって、従来のシステムと異なり、易破断性領域１２０は、好ましくは内部破砕のない無傷ユニットとしてパネル１００から分離し、チャンバ２２１内へ安全に後退することができる。
【００２２】
図９Ａでは矩形断面として示されているが、任意の従来の形状を有するパネル１００を設けることもできる。図１０Ａを参照すると、易破断性パネルアセンブリ２００の別の実施形態のハウジング２１０の一部は、明瞭化のためにパネル１００から分離して示されている。図１０Ａに示すように、パネル１００は複雑な形状を有し、パネル面１１０は窪み１２１Ａを含む。パネル１００は、易破断性領域１２０を残余部分１２１から分離する境界１２２をさらに含む。ハウジング２１０は、壁２１２と、部分的に包囲可能であるチャンバ２２１を画定（および／または）形成する内面２１１とを有する。ハウジング２１０は、内面２１１を有する選択壁２１２Ａと内面２１１を有する対向壁２１２Ｂとをさらに含む。選択壁２１２Ａと対向壁２１２Ｂはいずれもそれぞれフェース壁２１２Ｃに接続される。フェース壁は、開口部２１４を取り巻く開口部面２１１を有する開口部２１４をハウジング２１０に形成する。図１０Ａに示すように、ハウジング２１０は、パネル１００のパネル面１１０が上述したような任意の従来の方法によってハウジング２１０のフェース壁２１２Ｃの内面２１１および開口部面２１１Ａに接続されることによって開口部２１４を閉鎖することができるように構成される。
【００２３】
図１０Ｂを参照すると、窪み１２１Ａを有するパネル１００がハウジング２１０のフェース壁２１２Ｃの内面２１１と開口部面２１１Ａに接続されることによって開口部２１４を閉鎖するように示されている。具体的には、パネル１００の残余部分１２１を覆うパネル面１１０の一部が、フェース壁２１２の内面２１１と開口部面２１１Ａとに接続される。また、パネル１００の端面１１０Ｂは、選択壁２１２Ａと対向壁２１２Ｂの内面２１１にも接続されるように示されている。さらに、パネル１００のパネル面は、パネルがハウジング２１０に接続されると、フェース壁２１２Ｃと同一平面になるように示されている露出面１１０Ａをさらに含む。
【００２４】
図１１Ａを参照すると、易破断性パネルアセンブリ２００のさらに別の実施形態のハウジング２１０の一部が、明瞭化のためにパネル１００から分離して示されている。図１１Ａに示すように、パネル１００は、パネル面１１０を形成する凸形状を有する。パネル１００は、易破断性領域１２０を残余部分１２１から分離する境界１２２をさらに含む。ハウジング２１０は、壁２１２と、部分的に包囲可能であるチャンバ２２１を画定（および／または）形成する内面２１１とを有する。ハウジング２１０は、内面２１１を有する選択壁２１２Ａと内面２１１を有する対向壁２１２Ｂとをさらに有する。選択壁２１２Ａと対向壁２１２Ｂはいずれもそれぞれフェース壁２１２Ｃに接続される。フェース壁は、開口部２１４を取り巻く開口部面２１１を備えた開口部２１４をハウジング２１０に形成する。図１１Ａに示すように、ハウジング２１０は、パネル１００のパネル面１１０が上述したような任意の従来の方法によってハウジング２１０のフェース壁２１２Ｃの内面２１１と開口部面２１１Ａに接続されることによって開口部２１４を閉鎖することができるように構成される。
【００２５】
図１１Ｂを参照すると、パネル１００は、ハウジング２１０のフェース壁２１２Ｃの内面２１１および開口部面２１１Ａと接続することによって、開口部２１４を閉鎖することができるように示されている。具体的には、パネル１００の残余部分１２１を覆うパネル面１１０の一部が、フェース壁２１２の内面２１１に接続される。また、パネル１００の端面１１０Ｂは、選択壁２１２Ａの内面２１１と対向壁２１２Ｂに接続されるように示されている。
【００２６】
図１２Ａを参照すると、易破断性パネルアセンブリ２００の別の実施形態のハウジング２１０の一部が、明瞭化のためにパネル１００から分離して再度示されている。図１２Ａに示すように、パネル１００は、パネル面１１０を形成する凹形状を有する。パネル１００は、易破断性領域１２０を残余部分１２１から分離する境界１２２をさらに含む。ハウジング２１０は、壁２１２と、部分的に包囲可能であるチャンバ２２１を画定（および／または）形成する内面２１１とを有する。ハウジング２１０は、内面２１１を有する選択壁２１２Ａと内面２１１を有する対向壁２１２Ｂとをさらに含む。選択壁２１２Ａと対向壁２１２Ｂはいずれもそれぞれフェース壁２１２Ｃに接続される。フェース壁は、開口部２１４を取り巻く開口部面２１１を備えた開口部２１４をハウジング２１０に形成する。図１２Ａに示すように、ハウジング２１０は、パネル１００のパネル面１１０が、ハウジング２１０のフェース壁２１２Ｃの内面２１１と開口部面２１１Ａに接続されることによって開口部２１４を閉鎖することができるように構成される。
【００２７】
図１２Ｂを参照すると、パネル１００は、ハウジング２１０のフェース壁２１２Ｃの内面２１１と開口部面２１１Ａに接続されることによって開口部２１４を閉鎖するように示されている。具体的には、パネル１００の残余部分１２１を覆うパネル面１１０の一部が、フェース壁２１２の内面２１１に接続される。また、パネル１００の端面１１０Ｂが、選択壁２１２Ａと対向壁２１２Ｂの内面２１１に接続されるように示されている。
【００２８】
図１３Ａを参照すると、易破断性パネルアセンブリ２００の別の実施形態のハウジング２１０の一部は、明瞭化のためにパネル１００から分離して図示されている。パネル１００はパネル面１１０を有し、易破断性領域１２０を残余部分１２１から分離する境界１２２をさらに含む。フィルム２３０は、パネル１００のパネル面１１０に貼付される。フィルム２３０は一またはそれ以上の層から成り任意の従来の方法によって、パネル面１１０に配置することができる。ハウジング２１０は壁２１２と、部分的に包囲可能であるチャンバ２２１を画定（および／または）形成する内面２１１とを有する。ハウジング２１０は、内面２１１を有する選択壁２１２Ａと内面２１１を有する対向壁２１２Ｂとをさらに含む。選択壁２１２Ａと対向壁２１２Ｂはいずれもそれぞれフェース壁２１２Ｃに接続される。フェース壁は、ハウジング２１０に開口部２１４を形成する。図１３Ａに示すように、ハウジング２１０は、パネル１００のパネル面１１０を、上述したような任意の従来の方法によりハウジング２１０の選択壁２１２Ａおよび対向壁２１２Ｂの内面２１１に接続することによって開口部２１４を閉鎖することができるように構成される。
【００２９】
図１３Ｂを参照すると、パネル１００は、ハウジング２１０の選択壁２１２Ａの内面２１１と対向壁２１２Ｂとに接続されることによって開口部２１４を閉鎖するように示されている。具体的には、パネル１００の端面１１０Ｂは、選択壁２１２Ａの内面２１１と対向壁２１２Ｂとに接続されるように示されている。また、パネル１００の残余部分１２１を覆うフィルム２３０の部分は、フェース壁２１２Ｃの内面２１１に接続される。後述するように、フィルム２３０をフェース壁２１２Ｃの内面２１１に接続することによって、フィルム２３０がパネル１００から剥離するのを防ぐことができる。
【００３０】
パネル１００の易破断性領域１２０のパネル面１１０への力（Ｆ）の印加後、図１３Ｃに示すように、境界１２２は破片１２３状に分解して、易破断性領域１２０をパネル１００の残余部分１２１から分離させ、フィルム領域２３１の周囲のフィルム２３０を伸張させる。上述したように、フィルム２３０をフェース壁２１２Ｃの内面２１１に接続することで、フィルム２３０がパネル１００から剥離するのを防止することができる。力（Ｆ）の印加後、図１３Ｃに示すように、易破断性領域１２０はチャンバ２２１内に後退し、図１３Ｄに示すように無傷のままでパネル１００の残余部分１２１から脱離する。図１３Ｄにも示すように、破片１２３の散乱は、既に引き裂かれてフィルム端２３２を形成しているフィルム２３０によって制御されている。実際には、破片１２３はチャンバ２２１内に安全に落下する。
【００３１】
衝撃を受けたときにパネルが粉砕しおよび／または鋭利な破片を形成して近傍の人を傷つける恐れのある従来技術の半透過性パネルハウジングと異なり、易破断性領域１２０が、好ましくは内部破砕なく無傷ユニットとしてパネル１００から分離し、チャンバ２２１内に安全に後退することができる。さらに、フィルム２３０は破片１２３の散乱を制御し、チャンバ２２１内へ安全に落下させる。上記の衝撃安全性特徴を備えた半透過性パネルハウジングは予期不能であると同時に、特に航空業界のビデオモニタにおける長年の需要に応えるものである。
【００３２】
図１４Ａを参照すると、美観、安全性および／またはその他の理由のために、ハウジング２１０のフェース面２１１Ａに同一平面に搭載されるパネル１００を備えた易破断性パネルアセンブリ２００を設けることが有効であろう。具体的には、易破断性パネルアセンブリ２００の実施形態のハウジング２１０の一部が、明瞭化のためにパネル１００から分離して示されている。図１４Ａに示すように、パネル１００はパネル面１１０、端面１１０Ｂ、および内側面１０２を有する。パネル１００は、易破断性領域１２０を残余部分１２１から分離する境界１２２をさらに含む。ハウジング２１０は、壁２１２と、開口部２１４を有するチャンバ２２１を画定（および／または）形成する内面２１１とを有する。ハウジング２１０は、内面２１１を有する選択壁２１２Ａと内面２１１を有する対向壁２１２Ｂとをさらに含む。選択壁２１２Ａと対向壁２１２Ｂはいずれもそれぞれフェース面２１１Ａを有するフェース壁２１２Ｃに接続される。内面２１１はさらに、フェース壁２１２Ｃの切り欠き領域２１０Ａを画定（および／または）形成する。図１４Ａに示すように、ハウジング２１０は、パネル１００の端面１１０Ｂおよび内側面１０２がフェース壁２１２Ｃの切り欠き領域２１０Ａの内面２１１と接続されることによって開口部２１４を閉鎖することができるように構成される。
【００３３】
図１４Ｂを参照すると、パネル１００は、ハウジング２１０のフェース壁２１２Ｃの内面２１１に接続されることによって開口部２１４を閉鎖するように示されている。パネル１００は、接着剤、留め具、止め金、または印加力（たとえば、磁石、吸着カップ、または摩擦）などの任意の従来の方法によって、ハウジング２１０の内面２１１と接続することができる。「止め金」という文言は、パネル１００とハウジング２１０とを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。さらに、パネル面１１０は、ハウジング２１０のフェース壁２１２Ｃのフェース面２１１Ａと同一平面になるように示されている。ハウジング２１０全体を図１４Ｃに示す。
【００３４】
図１５Ａを参照すると、美観、安全性および／またはその他の理由で、パネル１００と該パネルに貼付されるフィルム２３０とを備える易破断性パネルアセンブリ２００であって、フィルム面２３０Ａがハウジング２１０のフェース面２１１Ａと同一平面になるように該パネルが搭載されるアセンブリを提供することが好都合であろう。具体的には、易破断性パネルアセンブリ２００の別の実施形態のハウジング２１０の一部が、明瞭化のためにパネル１００から分離して示されている。図１５Ａに示すように、パネル１００は、パネル面１１０、端面１１０Ｂ、および内面１０２を有する。フィルム面２３０Ａを有するフィルム２３０がパネル面１１０に貼付される。パネル１００は、易破断性領域１２０を残余部分１２１から分離する境界１２２をさらに含む。ハウジング２１０は、壁２１２と、それ以外の方法で部分的に包囲可能である、開口部２１４を有するチャンバ２２１を画定（および／または）形成する内面２１１とを有する。ハウジング２１０は、内面２１１を有する選択壁２１２Ａと内面２１１を有する対向壁２１２Ｂとをさらに含む。選択壁２１２Ａと対向壁２１２Ｂはいずれもそれぞれフェース面２１１Ａを有するフェース壁２１２Ｃに接続される。内面２１１はさらに、フェース壁２１２Ｃの切り欠き領域２１０Ａを画定（および／または）形成する。図１４Ａに示すように、ハウジング２１０は、パネル１００の端面１１０Ｂと内側面１０２が、フェース壁２１２Ｃの切り欠き領域２１０Ａの内面２１１に接続されることによって開口部２１４を閉鎖することができるように構成される。パネル１００は、上述したような任意の従来の方法によってハウジング２１０の内面２１１と接続することができる。
【００３５】
図１５Ｂを参照すると、パネル１００は、ハウジング２１０のフェース壁２１２Ｃの内面２１１に接続されることによって開口部２１４を閉鎖するように示されている。パネル１００は、接着剤、留め具、止め金、または印加力（たとえば、磁石、吸着カップ、または摩擦）などの任意の従来の方法によってハウジング２１０の内面２１１に接続することができる。「止め金」という文言は、パネル１００とハウジング２１０とを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。さらに、フィルム面２３０Ａは、ハウジング２１０のフェース壁２１２Ｃのフェース面２１１Ａと同一平面であるように示されている。
【００３６】
図１６Ａを参照すると、易破断性パネルアセンブリ２００の別の実施形態のハウジング２１０の一部は、明瞭化のためにパネル１００から分離して示されている。図１６Ａに示すように、パネル１００はＣ状断面を有する。パネル１００は、パネル面１１０と搭載面１４０Ａを有するパネル領域１４０とを含む。パネル１００は、易破断性領域１２０を残余部分１２１から分離する境界１２２をさらに含む。パネル１００は、ドイツ、ポツダムのＧＰＩｎｎｏｖａｔｉｏｎ  ＧｍｂＨによる熱シート成形（Ｔｈｅｒｍａｌ  Ｓｈｅｅｔ  Ｍｏｌｄｉｎｇ）などの一またはそれ以上の従来の工程を用いて形成することができる。ハウジング２１０は壁２１２と、開口部２１４を有し、部分的に包囲可能であるチャンバ２２１を画定（および／または）形成する内面２１１とを有する。ハウジング２１０は、内面２１１を有する選択壁２１２Ａと内面２１１を有する対向壁２１２Ｂとをさらに含む。選択壁２１２Ａと対向壁２１２Ｂのどちらもそれぞれフェース面２１１Ａを有するフェース壁２１２Ｃに接続される。図１４Ａに示すように、ハウジング２１０は、パネル１００のパネル領域１４０の搭載面１４０Ａがフェース壁２１２Ｃのフェース面２１１Ａに接続されることによって開口部２１４を閉鎖するように構成される。
【００３７】
図１６Ｂを参照すると、パネル１００は、ハウジング２１０のフェース壁２１２Ｃのフェース面２１１Ａに接続されることによって開口部２１４を閉鎖するように示されている。パネル１００は、接着剤、留め具、止め金、または印加力（たとえば、磁石、吸着カップ、または摩擦）などの任意の従来の方法によって、ハウジング２１０のフェース面２１１Ａに接続することができる。「止め金」という文言は、パネル１００とハウジング２１０とを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。さらに、搭載面１１０は、ハウジング２１０のフェース壁２１２Ｃのフェース面２１１Ａと同一の広がりを有するように図示されている。
【００３８】
図１７Ａを参照すると、易破断性パネルアセンブリ２００の別の実施形態のハウジング２１０の一部が、明瞭化のためにパネル１００から分離して示されている。図１７Ａに示すように、パネル１００は、境界１２２がパネル領域１４０により近く配置されることを除き、図１６Ａに示すパネル１００と同一である。同様に、ハウジング２１０も、図１６Ａに示すハウジング２１０と同一である。図１７Ｂを参照すると、易破断性パネルアセンブリ２００は、図１７Ａを参照して説明されるように、パネル１００の境界１２２が配置されることを除き、図１６Ｂの易破断性パネルアセンブリ２００と同一であるように示されている。
【００３９】
図１のパネル１００の別の実施形態を図１８Ａに示す。パネル１００は不透明パネル材料を含む任意の従来のパネル材料から形成することができるが、本実施形態のパネル１００はガラスやポリカーボネートなどの硬質の透光性材料からも有効に形成することができる。図１８Ａを参照すると、パネル１００は、所定の寸法を有し、少なくとも１つの易破断性領域１２０を配置するように示されている。図１８Ａのパネル１００は５つの易破断性領域１２０Ａ〜Ｅを有し、各易破断性領域は選択された形状、サイズおよび／または位置を有する。易破断性領域１２０Ａ〜Ｅは単に例示のために、様々な形状、サイズ、および位置を有するように図示されている。所望に応じて、選択易破断性領域１２０は選択された寸法および／または形状を与え、別の易破断性領域１２０と重複させることができる。図１８Ａに示すように、第一易破断性領域１２０Ａ’は第二易破断性領域１２０Ｃ’と部分的に重複することによって、３つの易破断性領域１２０Ａ〜Ｃを画定するおよび／または境界を定める。図１８Ａにさらに示すように、易破断性領域１２０Ｄは同心円状に易破断性領域１２０Ｅに重複する。都合のよいことに、易破断性領域１２０Ａ〜Ｅの各々により、パネル１００は十分な力で衝撃を受けたときに所定の形で破断することができる。たとえば、易破断性領域１２０Ｅによって、易破断性領域１２０Ｅのみに十分な力を印加された場合、パネル１００の残余部分は無傷のままにすることが可能である。
【００４０】
易破断性領域１２０は、任意の従来の方法によって画定するおよび／または境界を定めることができる。一実施形態では、たとえば、選択易破断性領域１２０は、図１８Ｂに示すように、易破断性領域１２０と残余部分１２１との間に境界１２２を形成する切り欠き（ｎｏｔｃｈ）１１１によって画定するおよび／または境界を定めることができる。図１８Ｂを参照すると、切り欠き１１１は、パネル１００の周囲領域１１３内の連続パターンで形成されるように示されている。切り欠き１１１は、単に例示のためにパネル１００の輪郭１１６に沿った輪郭を有するように示されているが、任意の従来の形状で設けることもできる。
【００４１】
加えて、および／または代替的には、易破断性領域１２０は、図１８Ｃに示すように、易破断性領域１２０と残余部分１２１との間の境界１２２を形成する局所的に限定された応力勾配領域１１４を介して画定するおよび／または境界を定めることができる。局所的に限定された応力勾配領域１１４は、不均等な応力状態を有するパネル１００の領域とすることができる。図１８Ｃを参照すると、局所的に限定された応力勾配１１４は、パネル１００の周囲領域１１３内の連続的な、または隣接するパターンとして形成されるように示されている。局所的に限定された応力勾配１１４は、単に例示のためにパネル１００の輪郭１１６に沿った輪郭を有するように図示されているが、任意の従来の形状を取ることができる。
【００４２】
図１９Ａ〜Ｃは、切り欠き１１１を有するパネル１００の例示の断面側面図である。切り欠き１１１はこれらの図面において単に例示のために半円、三角形、または矩形として互換可能に示されているが、任意の従来の断面形状で形成することができる。切り欠き１１１の奥行きおよび幅は変動させ、任意の適切な値を取ることができる。一実施形態では、切り欠き１１１は最大約０．１ｍｍ以上の奥行きを有するおよび／または最大約０．８７ｍｍの幅を有することができる。
【００４３】
所望に応じて、切り欠き１１１の奥行きおよび幅は、切り欠き１１１の最大奥行きおよび幅の予め選択された割合（パーセント）（および／または予め選択されたパーセント範囲）としてそれぞれ確定することができる。例示の予め選択されたパーセント範囲は、は、予め選択されたパーセント範囲内の５パーセント部分範囲（すなわち、６５パーセント（６５％）〜７０パーセント（７０％））および／または１０パーセント部分範囲（すなわち、６０パーセント（６０％）〜７０パーセント（７０％））などの任意のパーセント部分範囲を限定なく含め、切り欠き１１１の最大の奥行きおよび／または幅の５０パーセント（５０％）〜１００パーセント（１００％）を含めることができる。上述したように、本明細書全体で設定した数値は例示のためであって、限定を目的としていない。
【００４４】
図２０を参照すると、パネル１００が圧縮および伸張下で湾曲面領域１１８Ａおよび１１８Ｂを有する実施形態では、切り欠き１１１を伸張下の湾曲面領域１１８Ｂに配置することが好ましい、パネル１００は、ドイツ、ポツダムのＧＰＩｎｎｏｖａｔｉｏｎ  ＧｍｂＨによる熱シート成形などの一またはそれ以上の任意の従来の工程を用いて形成することができる。
【００４５】
図２１Ａ〜Ｆは、パネル１００が一またはそれ以上の選択易破断性領域１２０を画定するための２つ以上の切り欠き１１１を含むことができることを示す。図２１Ａはパネル１００の対向側領域１３０に隣接して形成されるパネル１００の２つの切り欠き１１１Ａ〜Ｂを示し、図２１Ｂは上領域１３２および下領域１３４に隣接して形成されるパネル１００の２つの切り欠き１１１Ｃ〜Ｄを示す。切り欠き１１１Ａ〜Ｄの幅は略同一に示されているが、異なる切り欠き１１１間で幅を変動させることができる。同様に、切り欠き１１１の奥行きも異なる切り欠き１１１間で変動させることができる。さらに、選択切り欠き１１１の幅および奥行きは所望に応じて変動させることができる。図２１Ｃは、パネル１００の外周領域１２６に隣接する連続パターンで形成される単独の切り欠き１１１を示す。図２１Ｄは、パネル１００の対向側領域１３０に隣接して形成される２つの切り欠き１１１Ａ〜Ｂと、パネル１００の上領域１３２および下領域１３４に隣接して形成される２つの切り欠き１１１Ｃ〜Ｄとを示す。ここでは、別個の切り欠き１１１Ａ〜Ｄは複合切り欠き１１１Ｍを形成する。図２１Ｅは、パネル１００の外周領域１２６に隣接して形成される複数の切り欠き１１１Ｅ〜Ｊと、パネル１００の中央領域１３６内に形成される第７の切り欠き１１１とを示す。切り欠き１１１Ｅ〜Ｊは、間隙領域１１２によって相互に分離されるように示されている。間隙領域１１２のサイズは所望に応じて変動させることができ、異なる対の切り欠き１１１間でも変動させることができる。図２１Ｆは、図８Ｃの切り欠き１１１Ｅ〜Ｋの別の実施形態を示す。ここでは、別個の切り欠き１１１Ｅ〜Ｋは複合切り欠き１１１Ｌを形成する。図２１Ｅ〜Ｆの配置は一対の易破断性領域１２０を提供し、パネル１００が衝撃を受けたときに危険な破片に割れる可能性をさらに低減することができる。
【００４６】
ビデオモニタのフロントカバーとしての使用に適したカバーアセンブリ９００の複数の好適な実施形態を図２２Ａ〜Ｍに示す。図２２Ａに示すように、カバーアセンブリ９００の実施形態は図１のパネル１００を含む。図２２Ｂを参照すると、カバーアセンブリ９００の構成要素は、明瞭化のために分離して図示されている。具体的には、カバーアセンブリ９００はパネル１００とフィルム２３０とを含む。フィルム２３０は一またはそれ以上の層を備え、任意の従来の方法によってパネル面１１０に配置することができる。図２２Ｃを参照すると、パネル１００に貼付されているフィルム２３０が示されている。
【００４７】
図２２Ｄを参照すると、カバーアセンブリ９００の別の実施形態の構成要素が、明瞭化のために分離して図示されている。具体的には、カバーアセンブリ９００は、パネル１００とタッチセンサ３１０とを含む。タッチセンサ３１０は、抵抗または容量接触技術などの任意の一またはそれ以上の従来の接触感知技術を実行することができ、半透明であってよい。図２２Ｅを参照すると、カバーアセンブリ９００は、接着剤、留め具、止め金、または印加力（たとえば、磁石、吸着カップ、または摩擦）などの任意の従来の方法によって、パネル１００に接続されるタッチセンサ３１０を備える。「止め金」という文言は、パネル１００とタッチセンサ３１０とを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。
【００４８】
図２２Ｆを参照すると、カバーアセンブリ９００の別の実施形態の構成要素が、明瞭化のために分離して図示されている。具体的には、カバーアセンブリ９００はパネル１００とビューフィルタ３３０とを含む。モニタと併せて使用される際、ビューフィルタ３３０は、モニタ視野角を低減することによって、モニタの視聴者のプライバシーを向上させ、近くの人の邪魔にならないようにする。ビューフィルタ３３０は、マイクロルーバーなどの任意の従来の技術によって実現することができる。図２２Ｇを参照すると、カバーアセンブリ９００は、接着剤、留め具、止め金、または印加力（たとえば、磁石、吸着カップ、または摩擦）などの任意の従来の方法によって、パネル１００に接続されるビューフィルタ３３０を備える。
【００４９】
図２２Ｈを参照すると、カバーアセンブリ９００の別の実施形態の構成要素が、明瞭化のために分離して図示されている。具体的には、カバーアセンブリ９００は、パネル１００、フィルム２３０、およびタッチセンサ３１０を含む。フィルム２３０は一またはそれ以上の層を備え、任意の従来の方法によってパネル面１１０に配置することができる。タッチセンサ３１０は、抵抗または容量技術などの一またはそれ以上の従来の接触感知技術によって実現することができる。図２２Ｉを参照すると、カバーアセンブリ９００は、接着剤、留め具、止め金、または印加力（たとえば、磁石、吸着カップ、または摩擦）などの任意の従来の方法によって、パネル１００に接続されるビューフィルタ３３０を備える。さらに、パネル１００に貼付されているフィルム２３０が図示されている。
【００５０】
図２２Ｊを参照すると、カバーアセンブリ９００の別の実施形態の構成要素が、明瞭化のために分離して図示されている。具体的には、カバーアセンブリ９００は、パネル１００、フィルム２３０、タッチセンサ３１０、およびビューフィルタ３３０を含む。フィルム２３０は一またはそれ以上の層を備え、任意の従来の方法によってパネル面１１０に配置することができる。タッチセンサ３１０は、抵抗または容量技術などの任意の一またはそれ以上の従来の接触感知技術を実行することができる。モニタと組み合わせて使用されると、ビューフィルタ３３０、モニタ視野角を低減することによって、モニタの視聴者のプライバシーを向上させ、近くの人の邪魔にならないようにする。ビューフィルタ３３０は、マイクロルーバーなどの任意の従来の技術によって実現することができる。図２２Ｋを参照すると、カバーアセンブリ９００は、タッチセンサ３１０に接続され、次いで、接着剤、留め具、止め金、または印加力（たとえば、磁石、吸着カップ、または摩擦）などの任意の従来の方法によってパネル１００に接続されるビューフィルタ３３０を備える。さらに、パネル１００に貼付されるフィルム２３０が図示されている。
【００５１】
図２２Ｌを参照すると、カバーアセンブリ９００の別の実施形態の構成要素が、明瞭化のために分離して図示されている。具体的には、カバーアセンブリ９００は、パネル１００、タッチセンサ３１０、およびビューフィルタ３３０を含む。タッチセンサ３１０は、抵抗または容量技術などの一またはそれ以上の任意の従来の接触感知技術により実現することができる。モニタと併せて使用されると、ビューフィルタ３３０はモニタの視野角を低減することによって、モニタの視聴者のプライバシーを向上させ、近くの人の邪魔にならないようにする。ビューフィルタ３３０は、マイクロルーバーなどの任意の従来の技術により実現することができる。図２２Ｍを参照すると、カバーアセンブリ９００は、タッチセンサ３１０に接続され、次いで、接着剤、留め具、止め金、または印加力（たとえば、磁石、吸着カップ、または摩擦）などの任意の従来の方法によってパネル１００に接続されるビューフィルタ３３０を備える。なお、カバーアセンブリ９００は図２２Ａ〜Ｍで明瞭化のために個別の構成要素として示されているが、開示される構成要素のうち一またはそれ以上を組み合わせることができる。たとえば、パネル１００は、タッチセンサ３１０および／またはビューフィルタ３３０と一体化させることができる。
【００５２】
一実施形態では、易破断性パネルアセンブリは好ましくは、２０１０年１２月１４日に提出された出願番号第１２／９６７，７１３号のＳｙｓｔｅｍ  ａｎｄ  Ｍｅｔｈｏｄ  ｆｏｒ  Ｐｒｏｖｉｄｉｎｇ  Ｄｙｎａｍｉｃ  Ｐｏｗｅｒ  Ｍａｎａｇｅｍｅｎｔ（車両情報システムにおける動的電力管理および制御のシステムおよび方法）に開示されるようなライン交換可能ユニット（ｌｉｎｅ−ｒｅｐｌａｃｅａｂｌｅ  ｕｎｉｔ：ＬＲＵ）に組み込むことができ、該出願は本願の譲受人に譲渡されており、その開示は引用により全文を本明細書に組み込む。割れた、あるいは不良のＬＲＵは単に取り外して、新しい（または異なる）ＬＲＵに交換することができるため、ＬＲＵの使用でメンテナンスが簡易化される。実際に、フィルム２３０をパネル１００に貼付して易破断性パネルアセンブリ２００内部に破片をとどめるのを助けることができるため、割れたパネル１００を有するＬＲＵは簡単かつ安全に取り外すことができる。その後、割れた、または不良のＬＲＵは、後の設置のために修理することもできる。旧ＬＲＵを新ＬＲＵと交換することによって、旧構成要素を容易に向上させることができる。
【００５３】
図２３Ａを参照すると、例示のＬＲＵがビデオモニタアセンブリ３００として提供されるように図示されている。図２３Ａに示すように、ビデオモニタアセンブリ３００は、ハウジング２１０とカバーアセンブリ９００とを備える。図示されるように、カバーアセンブリ９００は、タッチセンサ３１０に接続されるパネル１００に貼付されるフィルム２３０を含むことができる。ハウジング２１０は第一ハウジング部材２１０Ａと第二ハウジング部材２１０Ｂを含むことができる。第一ハウジング部材２１０Ａは、接着剤、留め具、止め金、または印加力（たとえば、磁石、吸着カップ、または摩擦）などの任意の従来の方法によって、カバーアセンブリ９００に接続される。「止め金」という文言は、カバーアセンブリ９００と第一ハウジング部材２１０Ａとを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。第二ハウジング部材２１０Ｂはビデオディスプレイ３２０を含む。一実施形態では、ビデオディスプレイ３２０は、少なくともビデオグラフィックスアレイ（ＶＧＡ）解像度を有する液晶ディスプレイ（ＬＣＤ）またはアクティブマトリクス有機発光ダイオード（ＡＭＯＬＥＤ）ディスプレイを備えることができる。しかしながら、任意の従来のビデオ技術を使用することができる。図２３Ａに示すように、ハウジング２１０は、第一ハウジング部材２１０Ａが上述したような任意の従来の方法によって第二ハウジング部材２１０Ｂに接続されるとき、チャンバ２２１が画定（および／または）形成されるように構成される。さらに、第一ハウジング部材２１０Ａが第二ハウジング部材２１０Ｂに接続されると、カバーアセンブリ９００の露出面のみがフィルム２３０のフィルム面２３０Ａとなる。
【００５４】
図２３Ｂを参照すると、別の例示のＬＲＵはビデオモニタアセンブリ３００として提供されるように示されている。図２３Ｂに示すように、ビデオモニタアセンブリ３００はハウジング２１０とカバーアセンブリ９００を備える。図示されるように、カバーアセンブリ９００は、タッチセンサ３１０に接続されるパネル１００に貼付されるフィルム２３０を含むことができる。第一ハウジング部材２１０Ａは、接着剤、留め具、止め金、または印加力（たとえば、磁石、吸着カップ、または摩擦）などの任意の従来の方法によってカバーアセンブリ９００に接続される。「止め金」という文言は、カバーアセンブリ９００と第一ハウジング部材２１０Ａとを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。さらに、図２３Ｂに示すように、第一ハウジング部材２１０Ａは、カバーアセンブリ９００が接続されるとき、フィルム２３０のフィルム面２３０Ａが第一ハウジング部材２１０Ａのフェース面２１１Ａと同一平面になるように構成される。第二ハウジング部材２１０Ｂはビデオディスプレイ３２０を含む。一実施形態では、ビデオディスプレイ３２０は、少なくともビデオグラフィックスアレイ（ＶＧＡ）解像度を有する液晶ディスプレイ（ＬＣＤ）またはアクティブマトリクス有機発光ダイオード（ＡＭＯＬＥＤ）ディスプレイを備えることができる。しかしながら、任意の従来のビデオ技術を使用することができる。図２３Ｂに示すように、ハウジング２１０は、第一ハウジング部材２１０Ａが上述したような任意の従来の方法によって第二ハウジング部材２１０Ｂに接続されると、チャンバ２２１が画定（および／または形成）されるように構成される。さらに、第一ハウジング部材２１０Ａが第二ハウジング部材２１０Ｂに接続されるとき、カバーアセンブリ９００の露出部分のみがフィルム２３０のフィルム面２３０Ａとなる。
【００５５】
図２３Ｃを参照すると、別の例示のＬＲＵが、ビデオモニタアセンブリ３００として提供されるように示されている。図２３Ｃに示すように、ビデオモニタアセンブリ３００はハウジング２１０とカバーアセンブリ９００とを備える。図示されるように、カバーアセンブリ９００は、接着剤、留め具、止め金、または印加力（たとえば、磁石、吸着カップ、または摩擦）などの任意の従来の方法によって、タッチセンサ３１０に接続されるＣ状パネル１００を含むことができる。「止め金」という文言は、カバーアセンブリ９００とハウジング２１０とを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。ハウジング２１０は、部分的に包囲されたチャンバ２２１を画定（および／または）形成し、ビデオディスプレイ３２０をさらに含む。一実施形態では、ビデオディスプレイ３２０は、少なくともビデオグラフィックスアレイ（ＶＧＡ）解像度を有する液晶ディスプレイ（ＬＣＤ）またはアクティブマトリクス有機発光ダイオード（ＡＭＯＬＥＤ）ディスプレイを備えることができる。しかしながら、任意の従来のビデオ技術を使用することができる。図２３Ｃに示すように、ハウジング２１０は、カバーアセンブリ９００が上述したような任意の従来の方法によってハウジング部材２１０に接続されると、チャンバ２２１がカバーアセンブリ９００によって包囲されるように構成される。さらに、ハウジング２１０およびパネル１００は、カバーアセンブリ９００がハウジング２１０に接続されると、パネル側面１１０Ｃがハウジング外側面２１１Ｃと同一平面になるように構成される。さらに、カバーアセンブリ９００がハウジング２１０に接続されるとき、カバーアセンブリの露出部分のみが、パネル１００のパネル面１１０とパネル側面１１０Ｃになる。
【００５６】
図２４は、ビデオモニタアセンブリ３００を含む例示のユーザシートアセンブリ４００を示す。ユーザシートアセンブリ４００は建物などの固定動作環境での使用に適するが、乗用車で使用するように設置することもできる。一実施形態では、たとえば、ユーザシートアセンブリ４００は従来の旅客機に搭載して配置することができ、その場合、ビデオモニタアセンブリ３００はカリフォルニア州レークフォレストのパナソニック・アビオニクス・コーポレーション（元マツシタ・アビオニクス・システムズ・コーポレーションとしても既知）製のシリーズ２０００、３０００、ｅＦＸおよび／またはｅＸ２機内娯楽システムなどの機内娯楽システムの一部として提供することができる。ユーザシートアセンブリ４００は、ビデオモニタアセンブリ３００の背もたれ４１０に配置されるように図示されているが、肘掛け４２０などの、ユーザシートアセンブリ４００の任意の従来の領域に配置することもできる。また、ビデオモニタアセンブリ３００は、全地球測位システム（ＧＰＳ）位置情報である高度などの飛行情報を表示する機器パネルの一部として提供することもできる。ガラスなどの半透過性パネルをビデオモニタフロントカバーとして安全に組み込めることは、特に航空業界において予測不能であると同時に、長年の需要に対応するものである。事実、航空会社もその供給業者も、安全かつ予測可能に落下するガラス製フロントカバーの設計を長年試行してきたが失敗に終わっている。
【００５７】
一実施形態では、図１のパネル１００はガラスから成り、図２５に示すように例示の方法５００により製造することができる。５１０で、ガラスシートは、フロートガラス工程などの任意の従来の工程を用いて形成することができる。パネル１００は好ましくはＣｏｒｎｉｎｇ（登録商標）Ｇｏｒｉｌｌａ（登録商標）ガラスから成る。Ｃｏｒｎｉｎｇ（登録商標）とＧｏｒｉｌｌａ（登録商標）は、ニューヨーク州のコーニングに在るＣｏｒｎｉｎｇ  Ｉｎｃ．の登録商標である。Ｃｏｒｎｉｎｇ  Ｇｏｒｉｌｌａガラスを製造する際、溶融方法を採用することができる。たとえば、５１０は図２６Ａに示すように５１２、５１４、および５１６を備えることができる。５１２で、溶融ガラス組成物が準備される。５１４で、Ｖ状溝が溶融ガラス組成物で過剰充填される。５１６で、溶融ガラスは、溝の両側領域に均等に流れて下領域で再結合し、ガラスシートを形成する。図２５に戻ると、５２０で、パネル１００をガラスシートから切断することができる。ガラスは従来の工程を用いて切断することができる。任意で、５３０で、パネル１００は、ドイツ、ポツダムのＧＰＩｎｎｏｖａｔｉｏｎ  ＧｍｂＨによる熱シート成形などの一またはそれ以上の任意の従来の工程を用いて成型することができる。任意で、５４０で、パネル１００は従来の工程を用いて仕上げることができる。たとえば、鋭利な縁部を滑らかに研磨することができる。
【００５８】
境界１２２を形成するため、５５０で一またはそれ以上の切り欠き１１１をパネル１００に形成することができる。切り欠き１１１は、視認性を低減するため、好ましくは、ガラスパネル１００の一面にのみ配置される。ガラスは、レーザ切断、粉砕、化学的エッチングおよび／またはエンドミル削りなどの一またはそれ以上の任意の従来の技術を用いてエッチングすることができる。選択切り欠き１１１の奥行きおよび幅はそれぞれ変動させて、任意の適切な寸法を有することができる。同様に、切り欠き１１１の奥行きおよび幅は、様々な切り欠き１１１間で変動させることができる。一実施形態では、切り欠き１１１は最大約０．１ｍｍ以上の奥行きおよび／または最大約０．８７ｍｍ以上の幅を有することができ、パネル１００は最大約１．１ｍｍ以上の厚さを有することができる。
【００５９】
所望に応じて、切り欠き１１１の奥行きおよび幅は、切り欠き１１１の最大の奥行きおよび幅の予め選択された割合（パーセント）（および／または予め選択されたパーセント範囲）としてそれぞれ確定することができる。例示の予め選択されたパーセント範囲は、予め選択されたパーセント範囲内の５パーセント部分範囲（すなわち、６５パーセント（６５％）〜７０パーセント（７０％））および／または１０パーセント部分範囲（すなわち、６０パーセント（６０％）〜７０パーセント（７０％））などの任意のパーセント部分範囲を限定なく含め、切り欠き１１１の最大の奥行きおよび／または幅の５０パーセント（５０％）〜１００パーセント（１００％）を含めることができる。上述したように、本明細書全体で言及される数値は、単に例示であって、限定することを目的としていない。
【００６０】
図１８Ｃを参照して上述したように、易破断性領域１２０は、境界１２２を形成する局所的に限定された応力勾配１１４を含む任意の従来の方法によって画定する、および／または境界を定めることができる。局所的に限定された応力勾配１１４は、図２７Ａに示すように例示の方法６００によりガラスから成るパネル１００において形成することができる。図２７Ａを参照すると、６１０で、パネル１００は、所望の境界１２２に沿ってレーザで変態温度を超えて加熱することができる。６２０で、パネル１００は放射方向に冷却されることによって、所望の境界１２２に沿って局所的に限定された応力勾配を形成することができる。もしくは、局所的に限定された応力勾配１１４は、図２７Ｂに示すように、例示の方法６０４によりガラスから成るパネル１００において形成することができる。図２７Ｂを参照すると、６４０で、焼き付けエナメル塗料を所望の境界１２２に沿ってパネル１００に貼付することができ、該焼き付けエナメル塗料はガラスの膨張係数と十分に異なる膨張係数を有する。焼き付けエナメル塗料は印刷などの任意の従来の工程を用いて貼付することができる。６５０で、パネル１００および焼き付けエナメル塗料を加熱することができる。６６０で、パネル１００および焼き付けエナメル塗料を冷却することによって、所望の境界１２２に沿って局所的に限定された応力勾配を形成することができる。
【００６１】
図２５に戻ると、方法５００は、５６０で、任意で強化パネル１００をさらに備えるように示されている。言い換えると、パネル１００は、方法５００により製造されるガラスから形成され、５６０で、任意で強化することができる。ガラスは、熱強化（たとえば、強化ガラス）や化学／イオン交換強化（たとえば、Ｃｏｒｎｉｎｇ  Ｇｏｒｉｌｌａガラス）などの一またはそれ以上の従来の工程を用いて強化することができる。方法５００（図２５に示す）を参照してより詳細に上述したように、パネル１００は好ましくはＣｏｒｎｉｎｇ  Ｇｏｒｉｌｌａガラスを備える。Ｃｏｒｎｉｎｇ  Ｇｏｒｉｌｌａガラスを製造する際、化学強化方法を採用することができる。たとえば、５６０は図２６Ｂに示すように５６２と５６４を備えることができる。５６２で、カリウム塩浴は、４００℃以上の最高温度まで加熱させることができる。５６４で、パネル１００は加熱カリウム塩浴に浸漬することができる。
【００６２】
方法５００（図２５に示す）を参照してより詳細に上述したように、パネル１００は好ましくはＣｏｒｎｉｎｇ  Ｇｏｒｉｌｌａガラスを備える。図２８Ａを参照すると、方法５００の少なくともステップ５１０および５２０を完了したパネル１００が示されている。好適な実施形態では、パネル１００は、複数のナトリウムイオン１１６Ａを含むガラスを備える。図２８Ｂを参照すると、パネル１００は方法５００のステップ５５０を完了しており、切り欠き１１１を有して示されている。図２８Ｃを参照すると、パネル１００は図２６Ｃに示すように、ステップ５６４を経て示されている。具体的には、パネル１００は、複数のカリウムイオン１１６Ｂを充填した加熱カリウム塩浴に浸漬されている。浸漬中、パネル１００はイオン交換工程を経る。具体的には、ナトリウムイオン１１６Ａはパネル１００の周囲領域１１５から加熱塩浴へと移動し、パネル１００の加熱カリウム塩浴から周囲領域１１５へと移動するカリウムイオン１１６Ｂと交換される。実際の寸法とは異なるが、図２８Ｃ〜Ｄに示されるように、ナトリウムイオン１１６Ａはカリウムイオン１１６Ｂよりも小さい。図２８Ｄを参照すると、パネル１００は加熱カリウム塩浴から引き出されており、イオン交換工程は完了している。具体的には、パネル１００の圧縮周囲領域１１５は、比較的大きなカリウムイオン１１６Ｂが比較的小さなナトリウムイオン１１６Ａと交換される場合に形成される。圧縮周囲領域１１５は、パネル１００での割れ目の形成および伝搬を阻止するのを助ける。
【００６３】
図２９は、図２２Ａ〜Ｍに示されるカバーアセンブリ９００の例示の組立方法７００を示す。７１０で、パネル１００が提供される。パネル１００は、７２０で有効となるように適切に配置することができる。任意で、７３０で、タッチセンサ３１０は、接着剤、留め具、止め金、または印加力（たとえば、磁石、吸着カップ、または摩擦）などの任意の従来の方法によって、パネル１００に接続することができる。「止め金」という文言は、タッチセンサ３１０とパネル１００とを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。任意で、７４０で、ビューフィルタ３３０は、上述したような任意の従来の方法によってタッチセンサ３１０に接続することができる。任意で、７５０で、フィルム２３０は、接着剤などの任意の従来の方法によってパネル１００のパネル面１１０に貼付することができ、一またはそれ以上の層を備えることができる。
【００６４】
図３０Ａ〜Ｂは、ビデオモニタアセンブリ３００を組み立てる例示の方法を示す。図３０Ａは、カバーアセンブリ９００と、第一ハウジング部材２１０Ａと、第二ハウジング部材２１０Ｂとを備えるビデオモニタアセンブリ３００を組み立てる例示の方法８００Ａを示す。８１０で、第一ハウジング部材２１０Ａを設けることができる。８２０で、第一ハウジング部材は有効となるように適切に配置することができる。８３０で、カバーアセンブリ９００は、図２９に示すように例示の方法７００により組み立てることができる。「止め金」という文言は、カバーアセンブリ９００と第一ハウジング部材２１０Ａとを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。８５０で、第二ハウジング部材２１０Ｂを設けることができる。８６０で、ビデオディスプレイ３２０は、上述したような任意の従来の方法によって、第二ハウジング部材２１０Ｂに接続することができる。８７０で、第一ハウジング部材２１０Ａは、上述したような任意の従来の方法によって、第二ハウジング部材２１０Ｂに接続することができる。
【００６５】
図３０Ｂは、カバーアセンブリ９００とハウジング２１０とを備えるビデオモニタアセンブリ３００を組み立てる例示の方法８００Ａを示す。８１１で、ハウジング２１０を設けることができる。８２１で、ビデオディスプレイ３２０は、接着剤、留め具、止め金、または印加力（たとえば、磁石、吸着カップ、または摩擦）などの任意の従来の方法によって、ハウジング２１０に接続することができる。「止め金」という文言は、ビデオディスプレイ３２０とハウジング２１０とを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。８３０で、カバーアセンブリ９００は、図２９に示すように例示の方法７００により組み立てることができる。８４１で、カバーアセンブリ９００は上述したような任意の従来の方法によってハウジング２１０に接続することができる。
【００６６】
消火器でのいたずら行為を防ぐため、従来技術の消火器キャビネットは、パネルが十分な力で衝撃を受けると多数の小さな塊に粉砕する強化ガラスパネルを採用している。粉砕された強化ガラスの小さな塊による散乱や潜在的な危険を排除する、あるいはほぼ排除することは望ましく、長年の間求められてきた。図３１Ａを参照すると、パネル１００は消火器キャビネットアセンブリ１０００に有効に組み込むことができる。消火器キャビネットアセンブリ１０００の実施形態は壁２１２を有するハウジング２１０を含む。ハウジング２１０の内面２１１は、開口部２１４を有するチャンバ２２１を形成（および／または画定）する。パネル１００はハウジング２１０のフェース壁２１２Ｃの内面２１１に接続されることによって開口部２１４を閉鎖する。チャンバは消火器１１００を収容するのに適したサイズにすることができる。パネル１００は、接着剤、留め具、止め金、または印加力（たとえば、磁石、吸着カップ、または摩擦）などの任意の従来の方法によって、ハウジング２１０の内面２１１に接続することができる。「止め金」という文言は、パネル１００とハウジング２１０とを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。
【００６７】
図３１Ｂを参照すると、十分な衝撃の印加後、パネル１００は予測可能に後退して、好ましくは内部破砕なく無傷ユニットとして易破断性領域１２０をパネル１００の残余部分１２１から分離させ、チャンバ２２１内へ後退させることができる。図３１Ｃを参照すると、取っ手２１５は、易破断性領域がチャンバ２２１から安全に脱離され得るようにパネル面１１０に接続することができる。透光性と衝撃安全性の両方を発揮するパネルは予期不能であり、消火器キャビネット業界における長年の需要に応えるものである。
【００６８】
図３２Ａ〜Ｃを参照すると、易破断性パネルアセンブリ２００は、消火器キャビネットアセンブリ１０００のドア１１１０に組み込まれるスイッチアセンブリ１２００に有効に組み込むことができる。図３２Ａを参照すると、消火器キャビネットアセンブリ１０００の実施形態は、壁２１２を有するハウジング２１０を含むことができる。ハウジング２１０の内面２１１は、開口部２１４を有するチャンバ２２１を形成（および／または画定）する。ドア１１１０は、開閉することによって開口部２１４を開閉することができるように、ヒンジ１１１２またはその他の任意の従来の方法によってハウジング２１０に接続することができる。図３２Ａに示すように、ドア１１１０は閉鎖位置にある。チャンバは消火器１１００を収容するのに適切なサイズとすることができる。接続は、接着剤、留め具、止め金、または印加力（たとえば、磁石、吸着カップ、または摩擦）などの任意の従来の方法によって達成することができる。図３２Ｂを参照すると、ドア１１００が閉鎖された消火器キャビネットアセンブリ１０００の正面は示されている。取っ手１１１１は、任意の従来の方法によってドア１１１０に接続して、ドア１１１０の開閉を簡易化することができる。ドア１１１０は、ラッチなどの任意の従来の方法によってドア１１１０を施錠または解錠することのできるスイッチアセンブリ１２００も含むことができる。図３２Ｃを参照すると、ドア１１１０が開放位置にあり、ヒンジ１１１２が明瞭に見える消火器キャビネットアセンブリ１０００が示されている。
【００６９】
消火器キャビネットアセンブリ１０００内に収容される消化器でのいたずら行為を防ぐため、易破断性パネルアセンブリ２００はスイッチアセンブリ１２００に有用に組み込むことができる。図３３Ａを参照すると、スイッチアセンブリ１２００はドア１１１０に接続されるように示されている。スイッチアセンブリ１２００は、接着剤、留め具、止め金、または印加力（たとえば、磁石、吸着カップ、または摩擦）などの任意の従来の方法によって、ドア１１１０と接続することができる。「止め金」という文言は、スイッチアセンブリ１２００とドア１１１０とを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。スイッチアセンブリ１２００は、易破断性パネルアセンブリ２００とスイッチ１２１０とを含むことができる。スイッチは、ドア１１１０を施錠または解錠するように動作するレバー１２１１を含むことができる。易破断性パネルアセンブリ２００は、を有するパネル１００と壁２１２を有するハウジング２１０とを含む。ハウジング２１０の内面２１１は、開口部２１４を有するチャンバ２２１と後側開口部２１４Ａとを形成（および／または画定）する。パネル１００は、上述したような任意の従来の方法によってハウジング２１０のフェース壁２１２Ｃの内面２１１と接続することによって、開口部２１４を閉鎖することができる。スイッチ１２０は後側開口部２１４Ａ内に位置する。
【００７０】
図３３Ｂを参照すると、十分な衝撃の印加後、パネル１００は予測可能に後退して、好ましくは内部破砕なく無傷ユニットとして易破断性領域１２０をパネル１００の残余部分１２１から分離させ、チャンバ２２１内へ後退させることができる。図３３Ｃを参照すると、レバー１２１１は開口部２１４を介して安全にアクセス可能である。よって、レバー１２１１を押圧することで、ドア１１１０を解錠することができる。
【００７１】
火災報知器パネルのいたずら行為の防止についても同様の需要が存在する。実際、易破断性パネルアセンブリ２００は、火災報知器カバーアセンブリ１３００に有効に組み込むことができる。図３４Ａを参照すると、火災報知器カバーアセンブリ１３００は易破断性パネルアセンブリ２００と火災報知器パネル１３１０を含むことができる。火災報知器パネル１３１０は、警報を起動するＴ形材１３１１を含むことができる。易破断性パネルアセンブリ２００は、易破断性領域１２０を有するパネル１００と、壁２１２を有するハウジング２１０とを含む。ハウジング２１０の内面２１１は、開口部２１４を有するチャンバ２２１と後側開口部２１４Ａを形成（および／または画定）する。パネル１００はハウジング２１０のフェース壁２１２Ｃの内面２１１に接続されることによって、開口部２１４を閉鎖する。火災報知器パネル１３１０は後側開口部２１４Ａ内に配置される。パネル１００は、接着剤、留め具、止め金、または印加力（たとえば、磁石、吸着カップ、または摩擦）などの任意の従来の方法によって、ハウジング２１０に接続することができる。「止め金」という文言は、パネル１００とハウジング２１０とを相互に接続または分離するように選択的にまたは自動的に係合および／または解放させることのできるブロック、タブ、ポケット、スロット、隆起、係止ピン、片持ち部材、支持ピンなどの係合素子の任意の組み合わせを指す。
【００７２】
図３４Ｂを参照すると、十分な衝撃の印加後、パネル１００は予測可能に後退して、好ましくは内部破砕なく無傷ユニットとして易破断性領域１２０をパネル１００の残余部分１２１から分離させ、チャンバ２２１内へ後退させることができる。火災報知器パネル１３１０は開口部２１４を介して安全にアクセス可能であるため、Ｔ形材１３１１を引き下ろすことによって警報を起動することができる。
【００７３】
開示の実施形態は、様々な変更や代替形式を受け入れることができ、その具体例を図面において例示のために示し、本明細書で詳細に説明する。しかしながら、開示の実施形態は開示される特定の形式や方法に限定されず、逆に、開示の実施形態は全ての修正物、均等物、および代替物を含むと理解すべきである。
【００７４】
以下に、上記実施形態から把握できる技術思想を付記として記載する。
［付記１］
ビデオディスプレイを覆う易破断性パネルアセンブリであって、
ハウジングと、
二またはそれ以上の位置で前記ハウジングに装着された半透過性パネルと、
前記半透過性パネルに設けられた易破断性領域と、
前記半透過性パネルに配置されたタッチセンサと
を備える易破断性パネルアセンブリ。
［付記２］
前記タッチセンサは、半透明である、付記１に記載の易破断性パネルアセンブリ。
［付記３］
前記半透過性パネルに配置されたフィルムをさらに備える、付記１に記載の易破断性パネルアセンブリ。
［付記４］
前記半透過性パネルは、前記フィルムと前記タッチセンサとの間に配置されている、付記３に記載の易破断性パネルアセンブリ。
［付記５］
前記易破断性領域は、前記半透過性パネルに形成された切り欠きによって画定されている、付記１に記載の易破断性パネルアセンブリ。
【符号の説明】
【００７５】
１００…パネル、１１０…パネル面、１２０…易破断性領域、１２１…残余部分。
【図１】
2014035544.tif 000003
【図２Ａ】
2014035544.tif 000004
【図２Ｂ】
2014035544.tif 000005
【図２Ｃ】
2014035544.tif 000006
【図３Ａ】
2014035544.tif 000007
【図３Ｂ】
2014035544.tif 000008
【図３Ｃ】
2014035544.tif 000009
【図４Ａ】
2014035544.tif 000010
【図４Ｂ】
2014035544.tif 000011
【図４Ｃ】
2014035544.tif 000012
【図５Ａ】
2014035544.tif 000013
【図５Ｂ】
2014035544.tif 000014
【図５Ｃ】
2014035544.tif 000015
【図６】
2014035544.tif 000016
【図７Ａ】
2014035544.tif 000017
【図７Ｂ】
2014035544.tif 000018
【図８Ａ】
2014035544.tif 000019
【図８Ｂ】
2014035544.tif 000020
【図９Ａ】
2014035544.tif 000021
【図９Ｂ】
2014035544.tif 000022
【図９Ｃ】
2014035544.tif 000023
【図９Ｄ】
2014035544.tif 000024
【図１０Ａ】
2014035544.tif 000025
【図１０Ｂ】
2014035544.tif 000026
【図１１Ａ】
2014035544.tif 000027
【図１１Ｂ】
2014035544.tif 000028
【図１２Ａ】
2014035544.tif 000029
【図１２Ｂ】
2014035544.tif 000030
【図１３Ａ】
2014035544.tif 000031
【図１３Ｂ】
2014035544.tif 000032
【図１３Ｃ】
2014035544.tif 000033
【図１３Ｄ】
2014035544.tif 000034
【図１４Ａ】
2014035544.tif 000035
【図１４Ｂ】
2014035544.tif 000036
【図１４Ｃ】
2014035544.tif 000037
【図１５Ａ】
2014035544.tif 000038
【図１５Ｂ】
2014035544.tif 000039
【図１６Ａ】
2014035544.tif 000040
【図１６Ｂ】
2014035544.tif 000041
【図１７Ａ】
2014035544.tif 000042
【図１７Ｂ】
2014035544.tif 000043
【図１８Ａ】
2014035544.tif 000044
【図１８Ｂ】
2014035544.tif 000045
【図１８Ｃ】
2014035544.tif 000046
【図１９Ａ】
2014035544.tif 000047
【図１９Ｂ】
2014035544.tif 000048
【図１９Ｃ】
2014035544.tif 000049
【図２０】
2014035544.tif 000050
【図２１Ａ】
2014035544.tif 000051
【図２１Ｂ】
2014035544.tif 000052
【図２１Ｃ】
2014035544.tif 000053
【図２１Ｄ】
2014035544.tif 000054
【図２１Ｅ】
2014035544.tif 000055
【図２１Ｆ】
2014035544.tif 000056
【図２２Ａ】
2014035544.tif 000057
【図２２Ｂ】
2014035544.tif 000058
【図２２Ｃ】
2014035544.tif 000059
【図２２Ｄ】
2014035544.tif 000060
【図２２Ｅ】
2014035544.tif 000061
【図２２Ｆ】
2014035544.tif 000062
【図２２Ｇ】
2014035544.tif 000063
【図２２Ｈ】
2014035544.tif 000064
【図２２Ｉ】
2014035544.tif 000065
【図２２Ｊ】
2014035544.tif 000066
【図２２Ｋ】
2014035544.tif 000067
【図２２Ｌ】
2014035544.tif 000068
【図２２Ｍ】
2014035544.tif 000069
【図２３Ａ】
2014035544.tif 000070
【図２３Ｂ】
2014035544.tif 000071
【図２３Ｃ】
2014035544.tif 000072
【図２４】
2014035544.tif 000073
【図２５】
2014035544.tif 000074
【図２６Ａ】
2014035544.tif 000075
【図２６Ｂ】
2014035544.tif 000076
【図２７Ａ】
2014035544.tif 000077
【図２７Ｂ】
2014035544.tif 000078
【図２８Ａ】
2014035544.tif 000079
【図２８Ｂ】
2014035544.tif 000080
【図２８Ｃ】
2014035544.tif 000081
【図２８Ｄ】
2014035544.tif 000082
【図２９】
2014035544.tif 000083
【図３０Ａ】
2014035544.tif 000084
【図３０Ｂ】
2014035544.tif 000085
【図３１Ａ】
2014035544.tif 000086
【図３１Ｂ】
2014035544.tif 000087
【図３１Ｃ】
2014035544.tif 000088
【図３２Ａ】
2014035544.tif 000089
【図３２Ｂ】
2014035544.tif 000090
【図３２Ｃ】
2014035544.tif 000091
【図３３Ａ】
2014035544.tif 000092
【図３３Ｂ】
2014035544.tif 000093
【図３３Ｃ】
2014035544.tif 000094
【図３４Ａ】
2014035544.tif 000095
【図３４Ｂ】
2014035544.tif 000096